(57)【要約】【課題】竿掛けアームを回動させて上向き方向に収納する竿掛けアーム収納部分を簡略化して複雑な動きや機構を排除しスムーズな動きの竿掛けアーム収納操作が可能な物干し竿支持装置を提供する。【解決手段】竿掛けアーム１３は、前記スライド溝１５の端部で前記スライド溝１５の延長上に並列して第一のアーム枢着軸１７と第二のアーム枢着軸１８を突設して設け、該第一並びに第二のアーム枢着軸１７、１８をアーム固定具５の上部壁８と斜壁９並びにＲ壁１０が構成する竿掛けアーム挟持部７に嵌着し、該アーム挟持部７の範囲で摺動及び回動自在に枢設し、該第一のアーム枢着軸１７が前記アーム挟持部７の上壁８に当接され第二のアーム枢着軸１８が斜壁９下部に当接されると前記竿掛けアーム１３は長手方向が水平方向から略４０度に保持される。  【選択図】図１
2005058578.tif 000002
【特許請求の範囲】
【請求項１】
バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸及び第二のアーム枢着軸にて枢着される竿掛けアームあって、
前記竿掛けアームはアーム上背側縁部に刻設した長手方向に伸びるスライド溝を有し、該スライド溝の端部で前記スライド溝の延長上に並列して第一のアーム枢着軸と第二のアーム枢着軸を突設して設け、該第一並びに第二のアーム枢着軸をアーム固定具の上部壁と斜壁並びにＲ壁が構成する竿掛けアーム挟持部に嵌着し、該アーム挟持部の範囲で摺動及び回動自在に枢設し、該第一のアーム枢着軸が前記アーム挟持部の上壁に当接され第二のアーム枢着軸が斜壁下部に当接されると前記竿掛けアーム長手方向が水平方向から略４０度に保持されること、
を特徴とする物干し竿支持装置。
【請求項２】
バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸及び第二のアーム枢着軸にて枢着される竿掛けアームあって、
前記支柱固定金具に支持内挿され上下方向に摺動自在でストッパーレバーを介して摺動方向に連結釈放可能なスライド柱は該スライド柱を少し上方向に持ち上げると前記ストッパーレバーが手前に移動して指が入る状態になり、該状態を指にて保持することで前記スライド柱の高さを上下動せしめ竿掛けアームの高さ調整可能としたこと、
を特徴とする物干し竿支持装置。
【請求項３】
前記第二のアーム枢着軸の半径が略４０ｍｍであること、
を特徴とする請求項１又は請求項２記載の物干し竿支持装置。
【請求項４】
前記竿掛けアームに突接して設けられる第一のアーム枢着軸並びに第二のアーム枢着軸には合成樹脂等からなる軸キャップを被覆せしめ前記アーム固定具のアーム挟持部並びにスライド柱に設けられた摺動溝内部を移動する際に金属音の発生を防止し、該軸キャップ厚さ大きさを調整することで内部公差を吸収して竿掛けアームの横揺れを軽減すること、
を特徴とする請求項１または請求項２記載の物干し竿支持装置。
【請求項５】
前記スライド柱を支持内挿した支柱固定具をバルコニー手摺を構成するコンクリート立ち上がり壁等に固定するための取付ボルトは合成樹脂等により成形されるカバー材にてカバーされ取付ボルトがむき出しにならず、また指等の係止部を作らないこと、
を特徴とする請求項１又は請求項２又は請求項４記載の物干し竿支持装置。
【発明の詳細な説明】
【技術分野】
【０００１】
本発明は、建物の壁面やバルコニーの手摺等に設置される物干し竿支持装置に関するものである。
【０００２】
本発明は、物干し竿を両端で支持する１対の竿掛けアームと該竿掛けアームをそれぞれ支持して上下方向にスライド可能なスライド柱と、該スライド柱を建物の壁面やバルコニーの手摺等に固定するための支柱固定金具からなり、前記スライド柱を伸長して干し物を高く掛け干し、また収納時に物干し竿を取り外すことなく上向き方向に竿掛けアームを回動させて収納可能な物干し竿支持装置に関するものである。
【背景技術】
【０００３】
従来より竿掛けアームを回動させて上向き方向に収納するタイプの物干し竿掛けとして、特公平１−４８００、特公平１−２０９１８、特公平７−９６０８０、特許第２６７３４１９号、特許第３１６３０３５号、特許第３０５１６９６号、特許第３０３４４７１号、特開平９−３２７５９６、特開平８−１０７９９３等が知られている。
【０００４】
然しながら、上記の従来装置は、竿掛けアームを回動させて上向きに方向に収納する機構が複雑で、動きがスムーズでなく、更には部品数が多いために製作コストが高い等の欠点があり、それらの点での改良に関する発明が多い。
【０００５】
また、上記物干し装置は、竿掛けアームを回動させて上向き方向に収納するタイプの物干し竿掛けを上部に冠持したスライド柱を上下方向にスライド可能として、該スライド柱を建物の壁面やバルコニーの手摺等に支柱固定金具により固定する構成として、前記スライド柱を伸長して前記竿掛けアームの高さを調整する装置が組み込まれている。
【０００６】
竿掛けアームの高さ調整装置として、従来から知られている従来技術には、特公平７−４１１１６、実用新案登録第２５０２９５５号、特許第２８２８８２７号、特開平７−３２８２８４、特開平９−３０８７９９等が知られている。
【０００７】
然しながら、上記の従来装置は、単にスライド柱にストッパーレバーを設けたものであるに過ぎず、該ストッパーレバーを誤って操作してしまうと物干し具を取り付けたスライド柱が急落して大変危険であったり、またこの点を改良するためのスライド柱を上下方向にスライドさせる機構そのものが複雑であり、結果部品数が多くなり製作コストが高価になってしまったりしている。
【特許文献１】特公平１−４８００号公報
【特許文献２】特公平１−２０９１８号公報
【特許文献３】特公平７−９６０８０号公報（特２０７０２４２号）
【特許文献４】特許第２６７３４１９号公報
【特許文献５】特許第３１６３０３５号公報
【特許文献６】特許第３０５１６９６号公報
【特許文献７】特許第３０３４４７１号公報
【特許文献８】特開平９−３２７５９６号公報
【特許文献９】特開平８−１０７９９３号公報
【特許文献１０】特公平７−４１１１６号公報
【特許文献１１】実用新案登録第２５０２９５５号公報
【特許文献１２】特許第２８２９８２７号公報
【特許文献１３】特開平７−３２８２８４号公報
【特許文献１４】特開平９−３０８７９９号公報
【発明の開示】
【発明が解決しようとする課題】
【０００８】
而して、本発明は上記問題に鑑みてなされたもので、竿掛けアームを回動させて上向き方向に収納する竿掛けアーム収納部分、並びに、前記物干し竿掛けを上部に冠持したスライド柱を上下方向にスライド可能として、竿掛けアームの高さ調整をする部分を、徹底して簡略化して複雑な動きや機構を排除しスムーズな動きの竿掛けアーム収納操作、並びに安全なスライド柱の高さ調整操作が出来るように構成せんとするものである。
【０００９】
また前記作動部の部品数を極度に簡素化して製作コストを安価することが可能な物干し竿支持装置を提供することをも目的とするものである。
【課題を解決するための手段】
【００１０】
本発明の物干し竿支持装置は、バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸及び第二のアーム枢着軸にて枢着される竿掛けアームあって、前記竿掛けアームはアーム上背側縁部に刻設した長手方向に伸びるスライド溝を有し、該スライド溝の端部で前記スライド溝の延長上に並列して第一のアーム枢着軸と第二のアーム枢着軸を突設して設け、該第一並びに第二のアーム枢着軸をアーム固定具の上部壁と斜壁並びにＲ壁が構成する竿掛けアーム挟持部に嵌着し、該アーム挟持部の範囲で摺動及び回動自在に枢設し、該第一のアーム枢着軸が前記アーム挟持部の上壁に当接され第二のアーム枢着軸が斜壁下部に当接されると前記竿掛けアーム長手方向が水平方向から略４０度に保持されるよう構成した。
【００１１】
従って垂直に収納されている竿掛けアームを上方に引き上げると、第一のアーム枢着軸がアーム固定具の上壁に当接する。この状態にて第一のアーム枢着軸を中心に半径４０mmの第二のアーム枢着軸が軌道してアーム固定具の斜壁に当たり竿掛けアームが予め設定された４０度の仰角を持って固定される。
【００１２】
また、本発明の物干し竿支持装置は、バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸及び第二のアーム枢着軸にて枢着される竿掛けアームあって、
前記支柱固定金具に支持内挿され上下方向に摺動自在でストッパーレバーを介して摺動方向に連結釈放可能なスライド柱は該スライド柱を少し上方向に持ち上げると前記ストッパーレバーが手前に移動して指が入る状態になり、該状態を指にて保持することで前記スライド柱の高さを上下動せしめ竿掛けアームの高さ調整可能とした。
【００１３】
従って不用意にストッパーレバーを操作してスライド柱が急落下することを防止すると共に、前記スライド柱を上方向に持ち上げないとストッパーレバー操作ができないので急落下を更に防ぐことが出来て安全である。
【発明の効果】
【００１４】
斯くして、本発明においては、竿掛けアームを回動させて上向き方向に収納する竿掛けアーム収納部分、並びに、前記物干し竿掛けを上部に冠持したスライド柱を上下方向にスライド可能として、竿掛けアームの高さ調整をする部分を、徹底して簡略化して複雑な動きや機構を排除しスムーズな動きの竿掛けアーム収納操作、並びに安全なスライド柱の高さ調整操作が出来るようになった。
【００１５】
また、本発明では、前記作動部の部品数を従来装置に比較して極めて簡素化できるので、製作コストを安価することが可能となった。
【発明を実施するための最良の形態】
【００１６】
本発明は、バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸及び第二のアーム枢着軸にて枢着される竿掛けアームあって、前記竿掛けアームはアーム上背側縁部に刻設した長手方向に伸びるスライド溝を有し、該スライド溝の端部で前記スライド溝の延長上に並列して第一のアーム枢着軸と第二のアーム枢着軸を突設して設け、該第一並びに第二のアーム枢着軸をアーム固定具の上部壁と斜壁並びにＲ壁が構成する竿掛けアーム挟持部に嵌着し、該アーム挟持部の範囲で摺動及び回動自在に枢設し、該第一のアーム枢着軸が前記アーム挟持部の上壁に当接され第二のアーム枢着軸が斜壁下部に当接されると前記竿掛けアーム長手方向が水平方向から略４０度に保持されるように構成した。
【００１７】
また、本発明は、バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸及び第二のアーム枢着軸にて枢着される竿掛けアームあって、前記支柱固定金具に支持内挿され上下方向に摺動自在でストッパーレバーを介して摺動方向に連結釈放可能なスライド柱は該スライド柱を少し上方向に持ち上げると前記ストッパーレバーが手前に移動して指が入る状態になり、該状態を指にて保持することで前記スライド柱の高さを上下動せしめ竿掛けアームの高さ調整可能とした。
【００１８】
尚、前記第二のアーム枢着軸の半径が略４０ｍｍであることが好ましい。
【００１９】
而して、本発明においては、前記竿掛けアームに突接して設けられる第一のアーム枢着軸並びに第二のアーム枢着軸には合成樹脂等からなる軸キャップを被覆せしめ前記アーム固定具のアーム挟持部並びにスライド柱に設けられた摺動溝内部を移動する際に金属音の発生を防止し、該軸キャップ厚さ、大きさを調整することで内部公差を吸収して竿掛けアームの横揺れを軽減することが可能となった。
【００２０】
更に本発明においては、前記スライド柱を支持内挿した支柱固定具をバルコニー手摺を構成するコンクリート立ち上がり壁等に固定するための取付ボルトは合成樹脂等により成形されるカバー材にてカバーされ取付ボルトがむき出しにならず、また指等の係止部を作らないように構成し安全で、意匠性の良い物干し竿支持装置が提供できた。
【実施例１】
【００２１】
本発明の実施例を図１乃至図８に基づき説明する。図１は本発明の物干し竿支持装置を説明する側面図、図２はアーム挟持部の形状を示す要部断面説明図、図３は竿掛けアームの形状説明図で特に図２に枢着する端部を示す拡大図、図４は竿掛けアームがアーム挟持部に枢着され該部分での作動状態を説明する駆動図、図５及び図６はスライド柱と竿掛けアームの高さ調整機構を示す説明図である。
【００２２】
図１乃至図４に於いて、１はバルコニーやベランダの手摺を構成するコンクリート立ち上がり壁、２は該コンクリート立ち上がり壁１に固定される支柱固定金具、３は該支柱固定金具２に支持内挿され上下方向に摺動自在なスライド柱である。
【００２３】
該スライド柱３は前記支柱固定金具２に内装されたストッパーレバー４を介して前記上下摺動方向の動きをコントロールされている。
【００２４】
前記スライド柱３の上端部には、アーム固定具５が冠着されており、該アーム固定具５にはスライド柱３への冠着部６、該冠着部６内に設けられたアーム挟持部７、該アーム挟持部７に形成された上壁８、斜壁９、Ｒ壁１０を有している。
前記上壁８、斜壁９、Ｒ壁１０の形状は図２に拡大して示してある。
【００２５】
また、前記アーム挟持部７下部には、アーム摺動溝１１が設けられており、該アーム摺動溝１１は前記スライド柱３内に設けられた摺動溝１２に接続されている。
【００２６】
斯くして、前記アーム固定具５に枢着される竿掛けアーム１３は、該アーム上背側縁部１４に刻設した長手方向に伸びるスライド溝１５を有し、該スライド溝１５には前記上壁８の縁部に設けられた凸部摺動子１６が係合している。
【００２７】
また、前記竿掛けアーム１３は、前記スライド溝１５の端部で該スライド溝１５の延長上に並列して第一のアーム枢着軸１と第二のアーム枢着軸１８を突設して設け、該第一並びに第二のアーム枢着軸１７、１８をアーム固定具５の上部壁８と斜壁９並びにＲ壁１０が構成する竿掛けアーム挟持部７に嵌着し、該アーム挟持部７の範囲で摺動及び回動自在に枢設し、該第一のアーム枢着軸１７が前記アーム挟持部７の上壁８に当接され第二のアーム枢着軸１８が斜壁９下部に当接されると前記竿掛けアーム１３は長手方向が水平方向から略４０度に保持される。
【００２８】
図４は前記竿掛けアーム１３の動作を示している。
図１にて示されている垂直に収納されている該竿掛けアーム１３を上に引き上げるとアーム挟持部７の上壁８に第一の枢着軸１７が当接する。
【００２９】
符号１３ａはこの時の竿掛けアーム１３の状態を示しており、この状態で第一のアーム枢着軸１７を中心に半径４０mmの第二の枢着軸１８が軌道し、斜壁９に当たり竿掛けアーム１３bが予め設定された４０度の仰角を持って固定される。
【００３０】
前記竿掛けアーム１３が４０度の仰角を持って保持された状態（１３ｂ）では、第二の枢着軸１８はＲ壁１０に当接し（１８ｂ）、竿掛けアーム１３aの下方向の動きを阻止している。尚、Ｒ壁１０は、第一の枢着軸１７を中心として、第二の枢着軸１８がスムーズに軌道できる役目を担っている。
【００３１】
斯くして本発明に於いては、形状が極めて単純化され、又、該部分の部品点数も竿掛けアーム１３とアーム挟持部７を有する冠着部６のみの構成になるため、スムーズな動きをする機構が安価に製作でき、製造コストの削減が図れる。
【００３２】
また、本発明の竿掛けアーム１３の高さ調整機構を、図５乃び図６にて詳説すると、バルコニー手摺を構成するコンクリート立ち上がり壁１等に固定される支柱固定金具２、該支柱固定金具２に支持内挿され上下方向に摺動自在でストッパーレバー４を介して摺動方向に連結釈放可能なスライド柱３、該スライド柱３上端部に冠着され竿掛けアーム挟持部７を有したアーム固定具５、該アーム固定具５の竿掛けアーム挟持部７に第一のアーム枢着軸１７及び第二のアーム枢着軸１８にて枢着される竿掛けアーム１３あって、前記支柱固定金具２に支持内挿され上下方向に摺動自在でストッパーレバー４を介して摺動方向に連結釈放可能なスライド柱３は該スライド柱３を少し上方向に持ち上げると前記ストッパーレバー４が手前に移動して指が入る状態になり、該状態を指にて保持することで前記スライド柱３の高さを上下動せしめ竿掛けアーム１３の高さ調整可能とした。
【００３３】
従って不用意にストッパーレバー４を操作してスライド柱３が急落下することを防止すると共に、前記スライド柱３を上方向に持ち上げないとストッパーレバー４操作ができないので急落下を更に防ぐことが出来て安全である。
【００３４】
而して、本発明においては、前記竿掛けアーム１３に突接して設けられる第一のアーム枢着軸１７並びに第二のアーム枢着軸１８には合成樹脂等からなる軸キャップ１９を被覆せしめ前記アーム固定具５のアーム挟持部７並びにスライド柱３に設けられた摺動溝１２内部を移動する際に金属音の発生を防止し、該軸キャップ１９厚さ、大きさを調整することで内部公差を吸収して該竿掛けアーム１３の横揺れを軽減することが可能である。
【００３５】
更に本発明においては、前記スライド柱３を支持内挿した支柱固定具３をバルコニー手摺を構成するコンクリート立ち上がり壁１等に固定するための取付ボルト２０、２１は合成樹脂等により成形されるカバー材２２、２３にてカバーされ取付ボルト２０、２１がむき出しにならず、また指等の係止部を作らないように構成し安全で、意匠性の良い物干し竿支持装置を提供している。
【図面の簡単な説明】
【００３６】
【図１】本発明の実施例を説明する側面図である。
【図２】アーム挟持部の形状を示す要部拡大断面図図である。
【図３】竿掛けアームの形状を説明図する一部拡大図である。
【図４】竿掛けアームの作動状態を説明する駆動図である。
【図５】竿掛けアームの高さ調整機構説明図である。
【図６】竿掛けアームの高さ調整機構説明図である。
【符号の説明】
【００３７】
１  コンクリート立ち上がり壁
２  支柱固定金具
３  スライド柱
４  ストッパーレバー
５  アーム固定具
６  冠着部
７  アーム挟持部
８  上壁
９  斜壁
１０  Ｒ壁
１１  アーム挟持部
１２  摺動溝
１３（１３ａ，１３ｂ）  竿掛けアーム
１４  背側縁部
１５  スライド溝
１６  凸部摺動子
１７  第一の枢着軸
１８（１８ｂ）  第二の枢着軸
１９  軸キャップ
２０  取付ボルト
２１  取付ボルト
２２  カバー材
２３  カバー材
【図１】
2005058578.tif 000003
【図２】
2005058578.tif 000004
【図３】
2005058578.tif 000005
【図４】
2005058578.tif 000006
【図５】
2005058578.tif 000007
【図６】
2005058578.tif 000008